(57)【要約】      （修正有）【課題】微細物を確実に分離除去でき、かつ液きりがよく衛生的であり、しかも既存の装置に簡単、かつ容易に組み付け可能な微細物除去装置を提供する。【解決手段】沈殿槽21を有する沈殿タンク2と、沈殿タンク2に備えられた微細物Mの排出部3とを有し、沈殿タンク2は、排出部3に向けて傾斜する傾斜底部21aと、この傾斜底部21aの傾斜面21a1に対して傾斜させ、かつ傾斜面21a1に対して先端部を離間させて所定間隔で配置された複数の沈殿促進板23〜25とを有し、排出部3は、沈殿槽21に沈殿する微細物Mを排出する排出コンベア装置30を有する。循環処理システムは、微細物除去装置1と、フィルタ装置100を配置し、微細物Mを含む液体を微細物除去装置1の簡易タンク321に供給し、簡易タンク321から微細物Mを含む液体をフィルタ装置100に供給し、フィルタ装置100において微細物Mを分離して液体を戻して循環させ、分離した微細物Mを微細物除去装置1に供給して除去する。【選択図】図１
2007136269.tif 000002
【特許請求の範囲】
【請求項１】
微細物を含む液体から微細物を除去する微細物除去装置であって、
沈殿槽を有する沈殿タンクと、
前記沈殿タンクに備えられた微細物の排出部と、
を有し、
前記沈殿タンクは、前記排出部に向けて傾斜する傾斜底部と、この傾斜底部の傾斜面に対して傾斜させ、かつ前記傾斜面に対して先端部を離間させて所定間隔で配置された複数の沈殿促進板と、を有し、
前記排出部は、前記沈殿槽に沈殿する微細物をかき出して排出する排出コンベア装置を有することを特徴とする微細物除去装置。
【請求項２】
前記複数の沈殿促進板が前記傾斜底部の傾斜面の下部に配置されるにしたがって、前記傾斜面に対する前記先端部の離間する距離が小さくなることを特徴とする請求項１に記載の微細物除去装置。
【請求項３】
前記排出コンベア装置は、
前記沈殿槽に対応して配置されるチェーンと、
前記チェーンに取り付けたスクレーパと、
前記チェーンを駆動する駆動手段と、
前記スクレーパによりかき出す微細物をガイドするガイド斜面部とを有することを特徴とする請求項1または請求項2に記載の微細物除去装置。
【請求項４】
前記ガイド斜面部に、
微細物を落下させる排出口と、
前記排出口に対向する位置に前記スクレーパによりかき出す微細物を落下させる突き当て部材とを有することを特徴とする請求項3に記載の微細物除去装置。
【請求項５】
前記スクレーパの少なくとも前記ガイド斜面部の傾斜面と接触する部分に、弾性体を有することを特徴とする請求項3または請求項4に記載の微細物除去装置。
【請求項６】
前記弾性体に付着した水分または微細物を除去するクリーニング手段を備えることを特徴とする請求項5に記載の微細物除去装置。
【請求項７】
前記スクレーパによりかき出す微細物を加熱する加熱手段を有することを特徴とする請求項3乃至請求項6のいずれか１項に記載の微細物除去装置。
【請求項８】
前記駆動手段を制御する制御手段を有し、
前記制御手段は、前記スクレーパを前記加熱手段により加熱する位置に所定時間停止させることを特徴とする請求項3乃至請求項7のいずれか1項に記載の微細物除去装置。
【請求項９】
前記スクレーパによりかき出した微細物を加圧する加圧手段を有することを特徴とする請求項3乃至請求項8のいずれか１項に記載の微細物除去装置。
【請求項１０】
前記加圧手段は、多孔質の弾性体ローラと、この弾性体ローラに挿通された連通孔を有するパイプ軸とからなり、微細物を搬送して加圧する一対の加圧ローラで構成されることを特徴とする請求項9に記載の微細物除去装置。
【請求項１１】
前記加圧手段は、水を通す孔を有する受け台と、この受け台上の微細物を加圧する加圧シリンダで構成されることを特徴とする請求項9に記載の微細物除去装置。
【請求項１２】
前記沈殿タンクの水平上外部と、前記排出部の傾斜上外部とで空間部を形成し、前記空間部にフィルタ装置を前記傾斜上外部に沿って配置し、
前記フィルタ装置は、供給される微細物を含む液体から微細物を分離して浄化した液体を戻し、分離した微細物が混入する液体を前記沈殿タンクに供給することを特徴とする請求項1乃至請求項11のいずれか1項に記載の微細物除去装置。
【請求項１３】
前記沈殿タンク及び前記排出部を枠台に支持し、
前記沈殿タンクの下方位置の前記枠台に、前記フィルタ装置へ微細物を含む液体を供給する供給ポンプを配置したことを特徴とする請求項1乃至請求項12のいずれか1項に記載の微細物除去装置。
【請求項１４】
前記枠台は、移動キャスターを有することを特徴とする請求項13に記載の微細物除去装置。
【請求項１５】
前記供給ポンプに、供給ホースを介して簡易タンクが接続可能であり、
前記簡易タンクに微細物を含む液体が供給されることを特徴とする請求項13または請求項14に記載の微細物除去装置。
【請求項１６】
前記簡易タンクは、既存のタンクの内部に配置可能であり、
前記簡易タンクの底部に、前記既存のタンクの内部と連通する吸引口を有することを特徴とする請求項15に記載の微細物除去装置。
【請求項１７】
前記供給ポンプと前記簡易タンクとの間に、流量調整弁を配置したことを特徴とする請求項15または請求項16に記載の微細物除去装置。
【請求項１８】
前記簡易タンクは、高さ調整機構を有することを特徴とする請求項15乃至請求項17のいずれか1項に記載の微細物除去装置。
【請求項１９】
前記沈殿タンクに薬液を供給する薬液注入手段を備えることを特徴とする請求項1乃至請求項18のいずれか1項に記載の微細物除去装置。
【請求項２０】
微細物を含む液体から微細物を除去する循環系に、請求項1乃至請求項19のいずれか1項に記載の微細物除去装置と、フィルタ装置を配置し、
微細物を含む液体を前記微細物除去装置の簡易タンクに供給し、
前記簡易タンクから微細物を含む液体を前記フィルタ装置に供給し、
前記フィルタ装置において微細物を分離して液体を戻して循環させ、分離した微細物を前記微細物除去装置に供給して除去することを特徴とする循環処理システム。
【発明の詳細な説明】
【技術分野】
【０００１】
この発明は、流体に含まれる微粉末状クズ等の微細物を分離して除去する微細物除去装置及び循環処理システムに関するものである。
【背景技術】
【０００２】
例えば、機械加工装置では、供給タンクから切削液を供給しながら切削加工が行なわれ、切削液には微粉末状の切削クズが含まれる。この微粉末状の切削クズが含まれる切削液を処理装置に供給し、この処理装置で切削クズを除去して切削液を供給タンクに戻しているものがある（例えば特許文献１）。
【特許文献１】特開２００１−79730号公報
【発明の開示】
【発明が解決しようとする課題】
【０００３】
この処理装置は、箱形の本体からスクレーパによって切削チップを切削液から分離して排出しているが、箱形の本体の底面が水平であるから沈殿する切削チップが集中して集まらない。このため、スクレーパによって確実に切削チップを排出することができない。
【０００４】
また、切削チップの水切りが十分でなく、切削チップに切削液が付着したまま排出されることから切削チップの回収作業が困難で、かつ切削液で汚れるために不衛生である等の問題がある。
【０００５】
さらに、装置が大型であり、既存の機械加工装置に簡単、かつ容易に組み付けることが困難であった。
【０００６】
この発明は、かかる点に鑑みてなされたもので、微細物を分離して確実に除去することが可能で、かつ液きりがよく衛生的であり、しかも既存の装置に簡単、かつ容易に組み付けることが可能な微細物除去装置及び循環処理システムを提供することを目的としている。
【課題を解決するための手段】
【０００７】
前記課題を解決し、かつ目的を達成するために、この発明は、以下のように構成されている。
【０００８】
請求項１に記載の発明は、微細物を含む液体から微細物を除去する微細物除去装置であって、
沈殿槽を有する沈殿タンクと、
前記沈殿タンクに備えられた微細物の排出部と、
を有し、
前記沈殿タンクは、前記排出部に向けて傾斜する傾斜底部と、この傾斜底部の傾斜面に対して傾斜させ、かつ前記傾斜面に対して先端部を離間させて所定間隔で配置された複数の沈殿促進板と、を有し、
前記排出部は、前記沈殿槽に沈殿する微細物をかき出して排出する排出コンベア装置を有することを特徴とする微細物除去装置である。
【０００９】
請求項2に記載の発明は、前記複数の沈殿促進板が前記傾斜底部の傾斜面の下部に配置されるにしたがって、前記傾斜面に対する前記先端部の離間する距離が小さくなることを特徴とする請求項１に記載の微細物除去装置である。
【００１０】
請求項3に記載の発明は、前記排出コンベア装置は、
前記沈殿槽に対応して配置されるチェーンと、
前記チェーンに取り付けたスクレーパと、
前記チェーンを駆動する駆動手段と、
前記スクレーパによりかき出す微細物をガイドするガイド斜面部とを有することを特徴とする請求項1または請求項2に記載の微細物除去装置である。
【００１１】
請求項4に記載の発明は、前記ガイド斜面部に、
微細物を落下させる排出口と、
前記排出口に対向する位置に前記スクレーパによりかき出す微細物を落下させる突き当て部材とを有することを特徴とする請求項3に記載の微細物除去装置である。
【００１２】
請求項5に記載の発明は、前記スクレーパの少なくとも前記ガイド斜面部の傾斜面と接触する部分に、弾性体を有することを特徴とする請求項3または請求項4に記載の微細物除去装置である。
【００１３】
請求項6に記載の発明は、前記弾性体に付着した水分または微細物を除去するクリーニング手段を備えることを特徴とする請求項5に記載の微細物除去装置である。
【００１４】
請求項7に記載の発明は、前記スクレーパによりかき出す微細物を加熱する加熱手段を有することを特徴とする請求項3乃至請求項6のいずれか１項に記載の微細物除去装置である。
【００１５】
請求項8に記載の発明は、前記駆動手段を制御する制御手段を有し、
前記制御手段は、前記スクレーパを前記加熱手段により加熱する位置に所定時間停止させることを特徴とする請求項3乃至請求項7のいずれか1項に記載の微細物除去装置である。
【００１６】
請求項9に記載の発明は、前記スクレーパによりかき出した微細物を加圧する加圧手段を有することを特徴とする請求項3乃至請求項8のいずれか１項に記載の微細物除去装置である。
【００１７】
請求項10に記載の発明は、前記加圧手段は、多孔質の弾性体ローラと、この弾性体ローラに挿通された連通孔を有するパイプ軸とからなり、微細物を搬送して加圧する一対の加圧ローラで構成されることを特徴とする請求項9に記載の微細物除去装置である。
【００１８】
請求項11に記載の発明は、前記加圧手段は、水を通す孔を有する受け台と、この受け台上の微細物を加圧する加圧シリンダで構成されることを特徴とする請求項9に記載の微細物除去装置である。
請求項１2に記載の発明は、前記沈殿タンクの水平上外部と、前記排出部の傾斜上外部とで空間部を形成し、前記空間部にフィルタ装置を前記傾斜上外部に沿って配置し、
前記フィルタ装置は、供給される微細物を含む液体から微細物を分離して浄化した液体を戻し、分離した微細物が混入する液体を前記沈殿タンクに供給することを特徴とする請求項1乃至請求項11のいずれか1項に記載の微細物除去装置である。
【００１９】
請求項13に記載の発明は、前記沈殿タンク及び前記排出部を枠台に支持し、
前記沈殿タンクの下方位置の前記枠台に、前記フィルタ装置へ微細物を含む液体を供給する供給ポンプを配置したことを特徴とする請求項1乃至請求項12のいずれか1項に記載の微細物除去装置である。
【００２０】
請求項１4に記載の発明は、前記枠台は、移動キャスターを有することを特徴とする請求項13に記載の微細物除去装置である。
【００２１】
請求項１5に記載の発明は、前記供給ポンプに、供給ホースを介して簡易タンクが接続可能であり、
前記簡易タンクに微細物を含む液体が供給されることを特徴とする請求項13または請求項14に記載の微細物除去装置である。
【００２２】
請求項１6に記載の発明は、前記簡易タンクは、既存のタンクの内部に配置可能であり、
前記簡易タンクの底部に、前記既存のタンクの内部と連通する吸引口を有することを特徴とする請求項15に記載の微細物除去装置である。
【００２３】
請求項１7に記載の発明は、前記供給ポンプと前記簡易タンクとの間に、流量調整弁を配置したことを特徴とする請求項15または請求項16に記載の微細物除去装置である。
【００２４】
請求項１8に記載の発明は、前記簡易タンクは、高さ調整機構を有することを特徴とする請求項15乃至請求項17のいずれか1項に記載の微細物除去装置である。
【００２５】
請求項１9に記載の発明は、前記沈殿タンクに薬液を供給する薬液注入手段を備えることを特徴とする請求項1乃至請求項18のいずれか1項に記載の微細物除去装置である。
【００２６】
請求項20に記載の発明は、微細物を含む液体から微細物を除去する循環系に、請求項1乃至請求項19のいずれか1項に記載の微細物除去装置と、フィルタ装置を配置し、
微細物を含む液体を前記微細物除去装置の簡易タンクに供給し、
前記簡易タンクから微細物を含む液体を前記フィルタ装置に供給し、
前記フィルタ装置において微細物を分離して液体を戻して循環させ、分離した微細物を前記微細物除去装置に供給して除去することを特徴とする循環処理システムである。
【発明の効果】
【００２７】
前記構成により、この発明は、以下のような効果を有する。
【００２８】
請求項１に記載の発明では、複数の沈殿促進板によって沈殿する微細物が段階的に沈殿して移動され、排出部に向けて傾斜する傾斜底部によって集中して集められ、微細物を確実にかき出して排出することができ、かつ液きりがよく衛生的である。
【００２９】
請求項2に記載の発明では、複数の沈殿促進板が傾斜底部の傾斜面の下部に配置されるにしたがって、傾斜面に対する先端部の離間する距離が小さくなり、より微細物が段階的に沈殿して移動される。
【００３０】
請求項3に記載の発明では、沈殿槽の傾斜底部によって集中して集められた微細物をスクレーパによりガイド斜面部に沿って確実にかき出すことができ、かつガイド斜面部により液きりが行われて衛生的である。
【００３１】
請求項4に記載の発明では、突き当て部材にスクレーパが突き当たることで、スクレーパによりかき出される微細物が落下して排出口から回収することができる。
【００３２】
請求項5に記載の発明では、スクレーパの弾性体によりガイド斜面部の傾斜面に付着する微細物をより確実にかき出すことができる。
【００３３】
請求項6に記載の発明では、スクレーパの弾性体に付着した水分または微細物を除去し、弾性体をクリーニングすることができる。
【００３４】
請求項7に記載の発明では、スクレーパによりかき出す微細物を加熱し、乾燥することでより衛生的に回収することができる。
【００３５】
請求項8に記載の発明では、スクレーパを加熱手段により加熱する位置に所定時間停止させ、効率的に微細物を乾燥することでより衛生的に回収することができる。
【００３６】
請求項9に記載の発明では、スクレーパによりかき出した微細物を加圧し、水分を除去して微細物を回収することができる。
【００３７】
請求項10に記載の発明では、一対の加圧ローラで微細物を搬送しながら加圧し、水分を除去して微細物を回収することができる。
【００３８】
請求項11に記載の発明では、加圧シリンダで受け台上の微細物を加圧し、水分を除去して微細物を回収することができる。
【００３９】
請求項12に記載の発明では、沈殿タンクの水平上外部と、排出部の傾斜上外部とで形成される空間部に、フィルタ装置が傾斜上外部に沿って配置されており、フィルタ装置が空間部を利用してコンパクトに配置されている。
【００４０】
請求項13に記載の発明では、沈殿タンク及び排出部を枠台に支持し、沈殿タンクの下方位置に供給ポンプを配置し、枠台に一体化したコンパクトな配置である。
【００４１】
請求項14に記載の発明では、移動キャスターによって容易に移動することができる。
【００４２】
請求項15に記載の発明では、供給ポンプに簡易タンクを接続することで、簡易な装置とすることができる。
【００４３】
請求項16に記載の発明では、簡易タンクを既存のタンクの内部に配置することで既存の装置に利用可能であり、また簡易タンクの底部に既存のタンクの内部と連通する吸引口を有し、空気の吸い込みを防止することができる。
【００４４】
請求項17に記載の発明では、供給ポンプと簡易タンクとの間に、流量調整弁を配置したことで、供給ポンプによる空気の吸い込みを防止することができる。
【００４５】
請求項18に記載の発明では、簡易タンクを高さ調整機構によって既存のタンクに応じて調整することができる。
【００４６】
請求項12に記載の発明では、沈殿タンクに薬液を供給し、薬液によって臭気を除去，あるいは液体の耐久性を向上させ、また微細物の沈殿を促進させることなどが可能である。      
【００４７】
請求項20に記載の発明では、微細物を含む液体から微細物を除去する循環系に、請求項1乃至請求項19のいずれか1項に記載の微細物除去装置と、フィルタ装置を配置することで、簡易な循環処理システムで微細物を効率よく除去することができ、液体の純度が向上する。
【発明を実施するための最良の形態】
【００４８】
以下、この発明の微細物除去装置及び循環処理システムの実施の形態について説明するが、この発明の実施の形態は、発明の最も好ましい形態を示すものであり、この発明はこれに限定されない。
【００４９】
この実施の形態では、微細物除去装置を備える循環処理システムについて、図1乃至図4に基づいて説明する。図1は微細物除去装置を破断して循環処理システムの概略側面図、図2は微細物除去装置の断面図、図3は微細物除去装置のカバーを外した状態の上方から見た図、図4は排出部の拡大断面図である。
【００５０】
この実施の形態の循環処理システムでは、微細物を含む液体から微細物を除去する循環系に、微細物除去装置1を配置し、例えば切削加工機械、水浄化装置などの処理装置101から微細物を含む液体を微細物除去装置1の簡易タンク321に供給する。供給ポンプ310の駆動により簡易タンク321からフィルタ装置100に供給され、フィルタ装置100において浄化した液体を処理装置101に戻して循環させ、フィルタ装置100において分離した微細物を含む液体を微細物除去装置1に送り微細物を除去する。
【００５１】
この実施の形態の循環処理システムでは、処理装置101が切削加工機械の場合には、微粉末状の切削クズが含まれる切削液から切削クズを除去し、切削液を浄化する。また、処理装置101が水浄化装置の場合には、異物やヘドロが含まれる水から異物やヘドロを除去し、水を浄化する。
【００５２】
この発明の微細物除去装置1は、沈殿タンク2と排出部3とを有し、微細物を含む液体から微細物を除去する。沈殿タンク2及び排出部3を枠台4に支持され、沈殿タンク2の下方位置に供給ポンプ310を配置し、枠台4に一体化したコンパクトな配置である。枠台4の下部には、移動キャスター5が設けられ、微細物除去装置1は、枠台4が移動キャスター5を有することによって容易に移動することができる。
【００５３】
供給ポンプ310には、供給ホース320を介して簡易タンク321が接続可能であり、簡易タンク321は、既存のタンク322の内部に配置可能である。簡易タンク321を既存のタンク322の内部に配置し、簡易タンク321に微細物を含む液体が供給されるようにすることで、簡易な装置とすることができる。
【００５４】
簡易タンク321の4箇所が高さ調整機構323によって支持され、高さ調整機構323の調整ネジ323aによって簡易タンク321の高さを既存のタンク322の水面に応じて調整することができる。
【００５５】
簡易タンク321の底部321aには、既存のタンク322の内部と連通する吸引口321bが形成され、また供給ホース接続部321cの上流側には流量調整弁324が設けられている。流量調整弁324は、簡易タンク321から供給する微細物を含む液体の流量を調整して空気の吸い込みを防止するもので、供給ポンプ310と簡易タンク321との間に配置される。
【００５６】
このように、簡易タンク321を既存のタンク322の内部に配置することで既存の装置に利用可能であり、また簡易タンク321の底部321aに既存のタンク322の内部と連通する吸引口321bを有しており、供給ポンプ310による空気の吸い込みを防止することができる。
【００５７】
沈殿タンク2は、箱型に形成され、沈殿槽21を有する。この沈殿槽21の上開口部はカバー２２で覆われている。この実施の形態では、1個の沈殿槽21を設けているが、2個以上設けてもよい。２個以上沈殿槽を設ける場合には、上流側の沈殿槽からオーバーフローして下流側の沈殿槽に液体が流れるようにすることで、浄化精度が向上し好ましい。
【００５８】
沈殿槽21は、排出部3に向けて傾斜する傾斜底部21aを有し、沈殿する微細物Mは傾斜底部21aによって排出部3に向けて集中して集められる。また、沈殿タンク2には、複数の沈殿促進板２３〜２５が設けられ、この沈殿促進板２３〜２５は傾斜底部21aの傾斜面に対して傾斜させ、かつ傾斜面に対して先端部２３a〜２５aを離間させて所定間隔で配置されている。
【００５９】
複数の沈殿促進板２３〜２５は、傾斜底部21aの傾斜面21a1の下部に配置されるにしたがって、傾斜面21a1に対する先端部２３a〜２５aの離間する距離D1〜D3が小さくなっている。
【００６０】
フィルタ装置100に接続した供給パイプ110は、カバー22の供給開口22aに挿入され、フィルタ装置100において分離した微細物を含む液体が供給パイプ110を介して沈殿槽21に供給される。この液体に含まれる微細物Mは沈殿するが、まず沈殿促進板２３によって傾斜底部21aの傾斜面21a1方向へ移動され、先端部２３aと傾斜面21a1との間からさらに沈殿する。そして、さらに沈殿促進板２4によって傾斜底部21aの傾斜面21a1方向へ移動され、先端部２4aと傾斜面21a1との間からさらに沈殿する。さらに沈殿促進板２5によって傾斜底部21aの傾斜面21a1方向へ移動され、先端部２5aと傾斜面21a1との間からさらに沈殿する。このように、複数の沈殿促進板２３〜２５が傾斜底部21aの傾斜面21a1の下部に配置されるにしたがって、傾斜面21a1に対する先端部２３a〜２５aの離間する距離D1〜D3が小さくなっており、沈殿する微細物Mが段階的に移動して集中して集められて堆積する。
【００６１】
排出部3は、沈殿槽21に対応して微細物Mをかき出して排出する排出コンベア装置30を有する。排出部3の上開口部は、斜面カバー38と、上側面カバー39によって覆われている。
【００６２】
排出コンベア装置30は、かき出す微細物Mをガイドするガイド斜面部40の下部に配置された従動軸31と、上部に配置された駆動軸32とを有し、従動軸31には従動スプロケット33が固定され、駆動軸32には駆動スプロケット34が固定されている。
【００６３】
従動スプロケット33と駆動スプロケット34とにはチェーン35が掛け渡され、チェーン35が沈殿槽21に対応して配置されている。チェーン35には、スクレーパ36が取り付けられている。スクレーパ36は、断面がL字形状のプレートが用いられ、一端部36aをチェーン35に溶接などで固定し、他端部36bは先端がガイド斜面部40の傾斜面40aに接するようになっている。
【００６４】
駆動軸32には、駆動手段として駆動モータ50が接続され、駆動モータ50は制御手段55により制御される。この制御手段55は、マイクロコンピュータで構成され、検知センサSの検知情報に基づき駆動モータ50の停止、始動、あるいは回転速度などの制御が行われる。
【００６５】
この駆動モータ50の駆動によって駆動軸32が回転してチェーン35が矢印方向に回転し、スクレーパ36が沈殿槽21に沈殿して堆積する微細物Mをガイド斜面部40の傾斜面40aに沿ってかき出す。このスクレーパ36が微細物Mをガイド斜面部40の傾斜面40aに沿ってかき出すときに、他端部36bの先端と傾斜面40aとの間から水分が下方に流れて徐々に水切りが行われる。このように、沈殿槽21の傾斜底部21aによって集中して集められた微細物Mをスクレーパ36によりガイド斜面部40に沿って確実にかき出すことができ、かつガイド斜面部40により液きりが行われて衛生的である。
【００６６】
ガイド斜面部40の上部には、微細物Mを落下させる排出口40bが形成されている。この排出口40bに対向する位置には、排出口40bの上側に突き当て部材41が配置されている。図4に示すように、スクレーパ36が微細物Mをガイド斜面部40の傾斜面40aに沿ってかき出すときに、スクレーパ36の一端部36aが突き当て部材41の先端に当たると、チェーン35が上側に持ち上げられて他端部36bが持ち上げられるように傾き、さらにチェーン35が移動することで突き当て部材41が他端部36bに付着する微細物Mをかき出し落下させる。そして、スクレーパ36が突き当て部材41を乗り越えて移動し、微細物Mは排出口40bから落下して回収ボックス52に回収される。
【００６７】
また、微細物除去装置1には、スクレーパ36によりかき出す微細物を加熱する加熱手段53を備えることができ、この加熱手段53は例えばヒータで構成され、ガイド斜面部40の傾斜面40aを加熱し、乾燥することでより衛生的に回収することができる。
【００６８】
この実施の形態では、検知センサSがスクレーパ36を検知し、この検知情報に基づき制御手段55が駆動モータ50を所定時間駆動し、スクレーパ36を加熱手段53により加熱する位置に所定時間停止させ、スクレーパ36によりかき出す微細物Mを加熱し、効率的に微細物Mを乾燥することでより衛生的に回収することができる。
【００６９】
また、微細物除去装置1には、パックアップ電源200を備え、システム電源が遮断されてもパックアップ電源200によって駆動可能であり、微細物Mをスクレーパ36によりガイド斜面部40に沿ってかき出すことができ、沈殿する微細物Mが傾斜底部21aに堆積して固化しないようになっている。
【００７０】
また、沈殿タンク2に薬液を供給する薬液注入手段70を備え、この薬液注入手段70によって薬液を定量供給し、沈殿タンクに薬液を供給し、薬液によって臭気を除去、あるいは液体の耐久性を向上させ、また微細物の沈殿を促進させることなどが可能である。薬液として、例えば凝集剤を供給することができ、この凝集剤によって微細物を凝集させて沈殿を促進することができる。その際の凝集剤は、無機凝集剤、高分子凝集剤など、特に制限される物ではないが、価格の点、後処理への影響の点などから、例えば硫酸アルミニウムなどを使用することができる。
【００７１】
沈殿槽21のカバー２２で形成される水平上外部と、排出部3の斜面カバー38で形成される傾斜上外部とで空間部120を形成している。斜面カバー38に取付部材37によってフィルタ装置100を取り付け、空間部120にフィルタ装置100を傾斜上外部に沿って配置し、フィルタ装置100が空間部120を利用してコンパクトに配置されている。
【００７２】
次に、微細物除去装置1の他の実施の形態を、図5乃至図7に示す。図5はスクレーパを説明する斜視図、図6はスクレーパによるかき出し状態を示す図、図7はスクレーパのクリーニング状態を示す図である。
【００７３】
この実施の形態では、スクレーパ36の少なくともガイド斜面部40の傾斜面40aと接触する部分に、弾性体71を有する。弾性体71として、例えば発泡材、スポンジ、ゴムなどがあるが特に限定されない。図5（a）では、弾性体71が板状に形成されて、スクレーパ36の他端部36bの全面に設けられ、弾性体71の一端部71aが他端部36bの先端部36b1より突出している。図5（b）では、弾性体71がコ字状に形成されて、スクレーパ36の他端部36bの外周に設けられ、弾性体71の両側の端部71bが他端部36bの先端部36b1より突出している。
【００７４】
図5（a）の弾性体71が設けられたスクレーパ36は、図6に示すように、スクレーパ36の弾性体71の一端部71aがガイド斜面部40の傾斜面40aと接触し、ガイド斜面部40の傾斜面40aに付着する微細物Mをより確実にかき出すことができる。
【００７５】
また、この実施の形態では、図7に示すように、排出口40bの上側にクリーニング手段72が図1乃至図4の実施例の突き当て部材41に代えて配置されている。クリーニング手段72は絞り軸、あるいはこすり軸などの棒状部材72aによって構成され、スクレーパ36が移動してかき出すときに、スクレーパ36の弾性体71が棒状部材72aによって絞られたり、こすられたりすることで、弾性体71に付着した水分または微細物が除去でき、弾性体71をクリーニングすることができる。
【００７６】
図5（b）の弾性体71が設けられたスクレーパ36も同様に、図6に示すようにして、スクレーパ36の弾性体71の両側の端部71bがガイド斜面部40の傾斜面40aと接触し、両側の端部71bで壁を作り、他端部36bにガイド斜面部40の傾斜面40aに付着する微細物Mが集まるようにしてより確実にかき出すことができる。
【００７７】
次に、微細物除去装置1の他の実施の形態を、図8及び図9に示す。図8は微細物の加圧手段の配置を説明する図、図9は微細物の加圧手段を示す図である。
【００７８】
この実施の形態の微細物除去装置1は、排出口40bの下方位置に、スクレーパ36によりかき出した微細物Mを加圧する加圧手段80を有する。排出口40bの上方位置には、かき出された微細物Mを排出口40bに導く導入部材81が配置されている。
【００７９】
この実施の形態の加圧手段80は、多孔質の弾性体ローラ80aと、この弾性体ローラ80aに挿通された連通孔80b1を有するパイプ軸80bとからなり、微細物Mを搬送して加圧する1対の加圧ローラAで構成される。
【００８０】
図9に示すように、かき出された微細物Mは、1対の加圧ローラAの弾性体ローラ80aに間に落下し、1対の加圧ローラAの回転によって搬送して加圧される。この搬送して加圧されることで、水分が弾性体ローラ80aからパイプ軸80bの連通孔80b1から軸孔80b２を通り、回収パイプ８２を介して沈殿槽21に戻される。このようにして、スクレーパ36によりかき出した微細物Mを一対の加圧ローラAで搬送しながら加圧し、水分を除去して回収することができる。
【００８１】
次に、微細物除去装置1の他の実施の形態を、図10及び図11に示す。図10は微細物の加圧手段の動作を説明する図、図11は微細物の加圧を示す図である。
【００８２】
この実施の形態の微細物除去装置1は、排出口40bの下方位置に、スクレーパ36によりかき出した微細物Mを加圧する加圧手段85を有する。この実施の形態の加圧手段85は、水を通す孔85a1を有する受け台85aと、この受け台85a上の微細物Mを加圧する加圧シリンダ85bで構成される。さらに、受け台85a上の微細物Mを排出口40bへ落下させる掃除用シリンダ８６が配置されている。
【００８３】
受け台85aは、例えば金網で構成され、この受け台85aの下方位置に水ガイド板８７が設けられている。図11に示すように、受け台85aの上にかき出された微細物Mは、加圧シリンダ85bで加圧され、水分は受け台85a の孔85a1から落下し、水ガイド板８７によってガイド斜面部40に形成された戻し孔40eから傾斜面40aを通り、沈殿槽21、22に戻される。このようにして、加圧シリンダ85bでかき出された微細物Mを受け台85a上で加圧することで、水分を除去して回収することができる。
【００８４】
このように、微細物を含む液体から微細物を除去する循環系に、微細物除去装置1と、フィルタ装置100を配置することで、簡易な循環処理システムで微細物を効率よく除去することができ、液体の純度が向上する。
【産業上の利用可能性】
【００８５】
この発明は、流体に含まれる微粉末状クズ等の微細物を分離して除去する微細物除去装置及び循環処理システムに適用でき、微細物を分離して確実に除去することが可能で、かつ液きりがよく衛生的であり、しかも既存の装置に簡単、かつ容易に組み付けることが可能である。
【図面の簡単な説明】
【００８６】
【図１】微細物除去装置を破断して循環処理システムの概略側面図である。
【図２】微細物除去装置の断面図である。
【図３】微細物除去装置のカバーを外した状態の上方から見た図である。
【図４】排出部の拡大断面図である。
【図５】スクレーパを説明する斜視図である。
【図６】スクレーパによるかき出し状態を示す図である。
【図７】スクレーパのクリーニング状態を示す図である。
【図８】微細物の加圧手段の配置を説明する図である。
【図９】微細物の加圧手段を示す図である。
【図１０】微細物の加圧手段の動作を説明する図である。
【図１１】微細物の加圧を示す図である。
【符号の説明】
【００８７】
1  微細物除去装置
2  沈殿タンク
3  排出部
21  沈殿槽
21a  傾斜底部
21a1 傾斜面
23〜25 沈殿促進板
30 排出コンベア装置
100 フィルタ装置321 簡易タンク
M 微細物
【図１】
2007136269.tif 000003
【図２】
2007136269.tif 000004
【図３】
2007136269.tif 000005
【図４】
2007136269.tif 000006
【図５】
2007136269.tif 000007
【図６】
2007136269.tif 000008
【図７】
2007136269.tif 000009
【図８】
2007136269.tif 000010
【図９】
2007136269.tif 000011
【図１０】
2007136269.tif 000012
【図１１】
2007136269.tif 000013